(57)【特許請求の範囲】
【請求項１】
本体の内部前後に設置される前ローラー及び後ローラー及びこれら前ローラー及び後ローラーに支持されて無限軌道で循環されるランニングベルト及びこのランニングベルトとともに軌道を循環する指圧石を備えた足反射区指圧誘導ワーキングマシンにおいて、
前記前ローラー及び後ローラーの各一側に設置される第１ローラー（３５）及び第２ローラー（３６）及びこれら第１ローラー（３５）及び第２ローラー（３６）に支持されて無限軌道で循環され、前記ランニングベルトの下側にその上面が密着されるように備えられ、指圧石（３）が収容される複数の凹溝部（３３）を形成した弾性を有する発泡材からなるエンボスベルト（５０）をさらに含んで構成され、
前記前ローラー（２５）と後ローラー（２６）の各一側上部には第３ローラー（３７）と第４ローラー（３８）がそれぞれ回転可能に本体（１０）に設置され、前記エンボスベルト（５０）はその前後端部が前記第１ローラー（３５）及び第２ローラー（３６）を経由して前記第３ローラー（３７）と第４ローラー（３８）で旋回されるように回転支持され、三角波形状または半球形状または多角形状の凸出部（３１）と凹溝部（３３）が繰り返して形成される弾性復元力を有する合成樹脂発泡材で提供されることを特徴とする足反射区指圧誘導ワーキングマシン。
【請求項２】
前記前ローラー（２５）と後ローラー（２６）の中の何れか一つと、前記第１ローラー（３５）と第２ローラー（３６）の中の何れか一つは前記ランニングベルト（３０）とエンボスベルト（５０）が互いに反対する方向に循環回転されるように駆動モーターに連結されて駆動回転されることを特徴とする請求項１に記載の足反射区指圧誘導ワーキングマシン。
【請求項３】
前記本体（１０）は、前記第１ローラー（３５）及び第２ローラー（３６）を基準として前記エンボスベルト（５０）の上面と下面の間の空間にエンボスベルト（５０）の上面垂れを防止することができるように幅方向に配置されて回転可能に設置される複数の垂れ防止ローラー（５３）が備えられることを特徴とする請求項１に記載の足反射区指圧誘導ワーキングマシン。
【請求項４】
前記指圧石（３）は天然砂利、黄土、ゲルマニウム、麦飯石、天然玉、炭の中の何れか一つまたは一つ以上を組成してなる組成物であることを特徴とする請求項１に記載の足反射区指圧誘導ワーキングマシン。
【発明の詳細な説明】
【技術分野】
【０００１】
本発明は無限軌道型ランニングベルトで複数の指圧石が循環移動されるワーキングマシンに関するもので、より詳しくは、弾性を有するエンボスベルトを付加構成して複数の指圧石が循環移動する過程で自然に分散して配置されるようにし、且つ曲線コーナー区間で複数の指圧石の間の無理な摩擦の発生を補償することにより安定した軌道循環を可能にすることができる足反射区指圧誘導ワーキングマシンに関する。
【背景技術】
【０００２】
一般的に、ランニングマシンは無限軌道型ランニングベルトを旋回させて利用者が原位置で走ったり歩くことができるようになっており、ランニングベルトの旋回速度と傾斜度の調節を可能にして利用者が自分に適する運動条件を任意に設定することができ、心臓及び肺機能並びに足の筋力を強化させることができる有酸素運動器具である。
【０００３】
このようなランニングマシンは、大体電動モーターを駆動源とする電動型ランニングマシンと、ランニングベルトの傾きを利用した手動型ランニングマシンに分けられ、上記電動型ランニングマシンは電動モーターに連結されて駆動力を受ける駆動ローラーがランニングベルトを回転させることによって利用者がランニングベルトの移動速度に合わせて歩いたり走る方式であり、手動型ランニングマシンは自在に回転される二つのローラーを前後に設置した後、これらをランニングベルトに巻いた形態で、全体的に前方が後方より高い位置を有するように傾斜して配置することによって利用者がランニングベルトの上に乗ると自重によってランニングベルトが後方に移動される方式である。
【０００４】
上記のような構成のランニングマシンは、運動効果を高めるために、ランニングベルトの軌道旋回を増速したり傾斜度の調節機能を付加しているが、利用者が平坦なランニングベルトの上で走る運動以外の効果を全く期待することができないという短所がある。
【０００５】
参考に、足裏には人体の各器官に相応する反射神経が密集されており、これを反射区と言う。このような反射区は人体の手と足に７０％程度の末梢神経が分布されていることと知られており、このような反射区に指圧やマッサージをすれば末梢神経の反射原理と血液循環原理によって疲れが解れるという効果を奏する。
【０００６】
一方、ランニングマシンが有する短所を解決するための従来技術としては、ランニングマシンのランニングベルトに足裏を指圧する指圧突起を備えて、利用者が歩いたり走る動作時に足裏の指圧効果を得ることができる指圧式ランニングベルトが大韓民国公開実用新案公報公開番号第１９９９−００３５０８２号及び大韓民国登録実用新案第０３３９１７５号を通じて知られている。上記従来の指圧式ランニングベルトはモーターと回転軸を介在して前・後移送動作を行うランニングマシンのランニングベルト上に複数の指圧突起を一体に突出させて、上記ランニングベルトと一体に前後に移送させ、利用者は上記ランニングマシンのランニングベルト上で裸足で歩いたり走る動作をしながら、上記ランニングベルトの表面に一体に形成された凹凸した凹凸型の樹脂で構成された指圧突起を足で踏みながら足反射（ｆｏｏｔ  ｒｅｆｌｅｘｏｌｏｇｙ）指圧効果を得るようにする。
【０００７】
しかしながら、従来のランニングマシンはランニングベルトの表面に所定の大きさで突出される指圧突起が利用者の足裏と単純に接触して指圧効果を得るので、比較的に体重の軽い利用者は負担が少ないが、体重の重い利用者の場合には指圧突起が足裏を強く押すことによって足裏に極甚な痛症を誘発するだけでなく、足底筋膜炎や足裏筋膜炎などを誘発する深刻な問題点があった。
【０００８】
上記の問題点を解決するために、本出願人は大韓民国登録特許第１０３８３８１号を通じて改良された「ランニングマシンのランニングベルト指圧装置」を提案したことがあり、上記ランニングマシンのランニングベルト指圧装置はランニングマシンの下部両側にモーターと延設された駆動ローラーを介してランニングベルトが前後に移送動作可能に設置されるランニングマシンのランニングベルト指圧装置において、上記ランニングベルトは、その表面に複数の天然砂利が位置されて上記ランニングベルトと一体に前・後に移送可能になり、上記ランニングベルトの両側端部には上記天然砂利の離脱防止のための係止突起がそれぞれ横設され、上記ランニングベルトを移送する駆動ローラーの上側には上記駆動ローラーと所定間隔離隔されて表面に緩衝部材が着設された圧入ローラーがそれぞれ設置され、上記圧入ローラーは引張ローラー及びガイドローラーと移送ベルトとして連設され、上記移送ベルトはランニングベルトの下側へ天然砂利を移送するようにガイドローラーを介して連設される構成が開示されている。
【０００９】
このような構成のランニングマシンのランニングベルト指圧装置は天然砂利が層を形成しながら自由に遊動されることができるようにした状態でランニングベルトとともに軌道旋回することによって利用者が天然砂利を踏んだ時複数の砂利が体重分布によって自然に遊動されて結果的に利用者の足裏に過度な接触圧力が加えられることを解消して自然状態の天然砂利道を歩く効果を誘導することができる。
【００１０】
しかしながら、上記ランニングマシンのランニングベルト指圧装置は天然砂利を軌道旋回させるためにランニングベルトの下部側に密着接触された状態で連動旋回する移送ベルトを含めて、この移送ベルトを支持するための複数のローラーを構成することにより、構造が複雑で、製作及びメンテナンスが難しいだけでなく、経済的な製造が難しいという問題点があった。
【００１１】
上記の問題点を解決するために、本出願人による大韓民国登録特許第１１９４０１８号を通じて「指圧ランニングマシン」が登録され、上記指圧ランニングマシンは開放された上面でランニング窓が貫通されたカバー板が設置される本体及びこの本体の内部前後に設置される前ローラー及び後ローラー及びこれらローラーに支持されて無限軌道で循環されるランニングベルト及びこのランニングベルトとともに軌道を旋回する指圧石を備えた指圧ランニングマシンにおいて、上記ランニングベルトは内部に指圧石が満たされる空間が形成されるようにチューブ形状に備えられ、長さ方向に沿って外面の中心が左右に広がることができるように分離されながら分離部分を基準として左右対称的にチャックストラップが設けられたベルト体と、上記一対のチャックストラップが隣接するようにスライド挿入されることによってランニングベルトの分離された部分を型合させる部材で、上記チャックストラップに付いて備えられるがランニング窓で型合が解除されるように断絶されたチャックレールと、上記走行窓の周辺に沿って突出して形成されて一対のチャックストラップが互いに広がるように離隔案内して上記ランニングベルトの内部に満たされた指圧石を露出されるようにする拡張ガイドとからなる構成が開示されている。
【００１２】
しかしながら、上記本出願人が提案した韓国登録特許第１１９４０１８号も構造が複雑で、経済的な製造及び普及が難しいだけでなく、メンテナンス及び管理が容易でないという短所があった。特に、本出願人が提案した上記韓国登録特許は何れも天然砂利などからなる指圧石が外部に常に露出されることによって運動中に指圧石が外部に脱落されて遺失されたり、または異物が指圧石の間に入ることによってそれによる消費者の不満を引き起こすという問題点があった。
【００１３】
このような問題点を解決するために、本出願人は大韓民国登録特許第１０−１２５０８９３号を通じて「指圧ランニングマシン」を提案したことがあり、上記指圧ランニングマシンは本体の内部前後に設置される前ローラー及び後ローラー及びこれら前ローラー及び後ローラーに支持されて無限軌道で循環されるランニングベルト及びこのランニングベルトとともに軌道を循環する指圧石を備えた指圧ランニングマシンにおいて、上記ランニングベルトは、利用者が足で踏む外面を形成する外部シートと、上記外部シートの内側に備えられて内側面を形成する内部シートと、上記外部シートと内部シートの両側周辺の間に介在されて上下面が付着固定され、上記外部シートと内部シートとの間に指圧石が満たされる空間を形成するベルトストラップと、上記外部シートと内部シートとの間に複数備えられて、軌道循環時に指圧石による垂れを抑制する垂れ防止手段とからなる構成が開示されている。
【００１４】
しかし、本出願人が提案した韓国登録特許第１２５０８９３号は外部シートによってその内側に指圧石が位置されることによって結果的に利用者は外部シートを通じて指圧石を踏むことによって利用者が体感的に感じる指圧効果が顕著に低下する弊端があった。
【発明の概要】
【発明が解決しようとする課題】
【００１５】
本発明は上記のような従来技術の問題点を解決するために創出されたもので、本発明の目的は、利用者が足で踏むことができるように複数の指圧石を露出して備え、ランニングベルトとともに循環移動されるエンボスベルトを付加構成して複数の指圧石が循環移動される過程で指圧石の間の過度な摩擦の発生を抑制しながら均一に分散配置されるようにして安定した軌道循環を保障し、摩擦による騷音の発生と指圧石の破損を最小化することができる足反射区指圧誘導ワーキングマシンを提供することにある。
【課題を解決するための手段】
【００１６】
上記目的を実現するための本発明の好ましい一実施例による足反射区指圧誘導ワーキングマシンは、本体の内部前後に設置される前ローラー及び後ローラー及びこれら前ローラー及び後ローラーに支持されて無限軌道で循環されるランニングベルト及びこのランニングベルトとともに軌道を循環する指圧石を備えた足反射区指圧誘導ワーキングマシンにおいて、上記前ローラー及び後ローラーの各一側に設置される第１ローラー及び第２ローラー及びこれら第１ローラー及び第２ローラーに支持されて無限軌道で循環され、上記ランニングベルトの下側にその上面が密着されるように備えられ、指圧石が収容される複数の凹溝部を形成した弾性を有する発泡材からなるエンボスベルトを含んで構成されることをその特徴とする。
【００１７】
本発明の好ましい一特徴として、上記前ローラーと後ローラーの中の何れか一つと、上記第１ローラーと第２ローラーの中の何れか一つは上記ランニングベルトとエンボスベルトが互いに反対する方向に循環回転されるように駆動モーターに連結されて駆動回転されることにある。
【００１８】
本発明の好ましい他の特徴として、上記前ローラーと後ローラーの各一側上部には第３ローラーと第４ローラーがそれぞれ回転可能に本体に設置され、上記エンボスベルトはその前後端部が上記第１ローラー及び第２ローラーを経由して上記第３ローラーと第４ローラーで旋回されるように回転支持されることにある。
【００１９】
本発明の好ましいまた他の特徴として、上記本体は上記第１ローラー及び第２ローラーを基準として上記エンボスベルトの上面と下面との間の空間にエンボスベルトの上面の垂れを防止することができるように幅方向に配置されて回転可能に設置される複数の垂れ防止ローラーが備えられることにある。
【００２０】
本発明の好ましいまた他の特徴として、上記エンボスベルトは弾性復元力を有する合成樹脂材発泡材で成形されるもので、三角波形状または半球形状または多角形状の凸出部と凹溝部が繰り返し的に形成されることにある。
【００２１】
本発明の好ましいまた他の特徴として、上記指圧石は天然砂利、黄土、ゲルマニウム、麦飯石、天然玉、炭の中の何れか一つまたは一つ以上を組成してなる組成物であることにある。
【発明の効果】
【００２２】
本発明による足反射区指圧誘導ワーキングマシンは、無限軌道型で循環されるランニングベルトの下側に弾性材からなり、無限軌道型で循環されるエンボスベルトを付加配置する構成を通じて複数の指圧石が曲線旋回区間で急激に傾く現象を抑制して均一な分散を誘導し、これを通じてランニングベルトの上に置かれる複数の指圧石が均一に分布されることができるようにすることによって製品に対する消費者の満足度を高めることができるという利点がある。即ち、エンボスベルトは弾性材からなっていて凹んだ溝に複数の指圧石が緩衝収容されることによって指圧石に加えられる過度な応力を補償してそれによる破れ現象を防止することができるだけでなく、互いにぶつかって発生する騷音を最小化することができるという効果を奏する。
【００２３】
また、利用者がランニングベルドの上の複数の指圧石を踏んだ時、体重が作用する複数の指圧石は周辺に自然に分散して遊動されることによって利用者の足裏に局所的に過度な加圧力が作用することを防止することができるので、長期間利用時にも痛症や不快感を誘発しないで指圧効果を得ることができるという効果を奏する。
【００２４】
また、ランニングベルトの内部に満たされる指圧石は天然砂利を含めて黄土、ゲルマニウム、麦飯石、天然玉、炭などの成分を含んだ人工砂利またはセラミックスなどで取り替えて用いることができるので、製品に対する消費者の満足度を高めることができるという利点がある。
【００２５】
本発明は添付図面に基づいた次の詳細な説明によりより明らかになる。これに先たち本明細書及び請求範囲に用いられた用語や単語は通常的で辞書的な意味に解釈されてはならなく、発明者がその自分の発明を最も最善の方法で説明するために用語の概念を適切に定義することができるという原則に即して本発明の技術的思想に符合する意味と概念に解釈すべきである。
【図面の簡単な説明】
【００２６】
【図１】本発明による足反射区指圧誘導ワーキングマシンの全体的な見掛けを示した斜視図である。
【図２】本発明による足反射区指圧誘導ワーキングマシンの内部構成を説明するための部分切開斜視図である。
【図３】本発明による足反射区指圧誘導ワーキングマシンの主要部構成を示した斜視図である。
【図４】本発明による足反射区指圧誘導ワーキングマシンの主要部構成を分解して示した斜視図である。
【図５】本発明による足反射区指圧誘導ワーキングマシンでランニングベルトとエンボスベルトの構成を説明するための側面図である。
【図６】本発明による足反射区指圧誘導ワーキングマシンでエンボスベルトを上から見た図面である。
【図７】本発明による足反射区指圧誘導ワーキングマシンでエンボスベルトを部分的に拡大して示した断面図である。
【図８】本発明による足反射区指圧誘導ワーキングマシンでエンボスベルトを部分的に拡大して示した斜視図である。
【発明を実施するための形態】
【００２７】
以下、添付された図面を参照して本発明による足反射区指圧誘導ワーキングマシンの構成を説明する。まず、図面において同じ構成要素または部品は同じ符号で示していることに留意すべきである。本発明を説明する際に係わる公知機能或いは構成に対する具体的な説明は本発明の要旨を曖昧にしないようにするために省略する。
【００２８】
図１は本発明による足反射区指圧誘導ワーキングマシンの全体的な見掛けを示した斜視図である。
【００２９】
図面には外体を形成するものとして、上側面に利用者が歩いたり走ることができるように走行空間を提供する本体１０と、上記本体１０の走行空間上に配置されて無限軌道で循環されるように備えられ、上部面に複数の指圧石３が配置されるランニングベルト３０と、上記本体１０の内部に上記ランニングベルト３０の下側に駆動源によって無限軌道で循環されるように備えられて指圧石３を移送させるエンボスベルト５０とからなる足反射区指圧誘導ワーキングマシン１が示されている。
【００３０】
図２は本発明による足反射区指圧誘導ワーキングマシンの内部構成を説明するための部分切開斜視図である。
【００３１】
図面には外体を形成する走行空間を提供するベースフレーム１１を備える本体１０と、この本体１０のベースフレーム１１の上部面に露出されるように備えられるランニングベルト３０と、上記ランニングベルト３０の下側に配置されるエンボスベルト５０と、上記エンボスベルト５０の垂れを防止するように幅方向に配置される垂れ防止ローラー５３と、エンボスベルト５０の下側に備えられて支持する支持ブラケット５５とを含む足反射区指圧誘導ワーキングマシン１が示されている。
【００３２】
図３は本発明による足反射区指圧誘導ワーキングマシンの主要部構成を示した斜視図であり、図４は本発明による足反射区指圧誘導ワーキングマシンの主要部構成を分解して示した斜視図である。
【００３３】
図面には本体１０のベースフレーム１１に回転可能に設置され、少なくとも何れか一つは駆動源（図示しない）に連結されて駆動回転され、残り一つは連動して従動回転する前ローラー２５及び後ローラー２６と、上記前ローラー２５及び後ローラー２６に回転可能に支持されて無限軌道で循環されるランニングベルト３０と、上記前ローラー２５及び後ローラー２６の下側にそれぞれ配置される第１ローラー３５及び第２ローラー３６と、上記前ローラー２５及び後ローラー２６の上側に間隔を隔ててそれぞれ配置される第３ローラー３７及び第４ローラー３８と、上記第１ローラー３５及び第２ローラー３６と第３ローラー３７及び第４ローラー３８に回転可能に支持されて無限軌道で循環され、上記ランニングベルト３０の上面を除いてその前後側面と下面に配置されるエンボスベルト５０と、上記エンボスベルト５０の上下面間の空間に幅方向に配置されてエンボスベルト５０の上部面が垂れることを防止する垂れ防止ローラー５３とを含む足反射区指圧誘導ワーキングマシン１が示されている。
【００３４】
図５は本発明による足反射区指圧誘導ワーキングマシンでランニングベルトとエンボスベルトの構成を説明するための側面図である。
【００３５】
図面には左右側にそれぞれ前ローラー２５及び後ローラー２６が配置され、この前ローラー２５及び後ローラー２６に回転可能に支持されて無限軌道型で循環されるランニングベルト３０が備えられる。そして、このランニングベルト３０の前後側面部と下側面を囲む形態でエンボスベルト５０が配置され、この時のエンボスベルト５０は上記前ローラー２５の上下側に間隔を隔てて配置される第３ローラー３７及び第１ローラー３５と上記後ローラー２６の上下側に間隔を隔てて配置される第４ローラー３８及び第２ローラー３６に回転可能に支持される構成が示されている。
【００３６】
図６は本発明による足反射区指圧誘導ワーキングマシンでエンボスベルトを上から見た図面である。
【００３７】
図面にはランニングベルト３０の前ローラー２５と、エンボスベルト５０の第１ローラー３５は外部から電源を受けて駆動力を提供する駆動モーターｍとプーリベルトｖで連結される構成を概略的に示し、この時の上記ランニングベルト３０とエンボスベルト５０は互いに対応する方向に回転駆動されることができるように備えられる。
【００３８】
図７は本発明による足反射区指圧誘導ワーキングマシンでエンボスベルトを部分的に拡大して示した断面図である。
【００３９】
図面には三角波形状に突出される凸出部３１と、この凸出部３１に連続して形成され、三角波形状に凹入されることによって指圧石３が収容配置される凹溝部３３とからなるエンボスベルト５０を示している。
【００４０】
図８は本発明による足反射区指圧誘導ワーキングマシンでエンボスベルトを部分的に拡大して示した斜視図である。
【００４１】
図面には突出された複数の凸出部３１と、これら凸出部の間に凹まれるように凹んだ形態に備えられる複数の凹溝部３３とからなる凹凸構造のエンボスベルト５０が示されており、本発明におけるエンボスベルト５０は弾性を有する合成樹脂からなる発泡性素材で提供されることを提案する。
【００４２】
以上の図面を参照して本発明による足反射区指圧誘導ワーキングマシンの構成を説明する。
【００４３】
本発明の足反射区指圧誘導ワーキングマシン１は大体見掛けを形成する本体１０と、この本体１０の内部に前後に配置されて回転可能に設置される回転要素である前ローラー２５及び後ローラー２６と、これら前ローラー２５及び後ローラー２６を巻回するように備えられることによって無限軌道で循環されるランニングベルト３０と、上記ランニングベルト３０の下側に配置されて反対方向に循環回転されることによって上記ランニングベルト３０とともに複数の指圧石３を移動させるエンボスベルト５０とを含む構成である。
【００４４】
本体１０は矩形に形成されて、利用者が歩いたり走ることができる運動空間を提供するベースフレーム１１と、上記ベースフレーム１１の前方両側で垂直に備えられる一対の垂直フレーム１３と、上記一対の垂直フレーム１３の上端端部に設置されて利用者が操作または機器の動作状態を表示する操作パネル１５とを含む構成である。
【００４５】
上記ベースフレーム１１は利用者が踏んで立ち上がった状態で歩いたり走ることができる動作が可能な程度の大きさで形成される矩形の支持要素として、上面は開放された形態を有し、下面は図示しないが高さ調節が可能な複数の蹄が備えられるかまたは円滑な移動のための車輪などが備えられることができる。
【００４６】
上記垂直フレーム１３は上記ベースフレーム１１の前方両側で略垂直に起立して配置される長さ材の部材として、後述する操作パネル１５が装着され、図示しなかったが、利用者が手で握って支持することができるように取っ手が備えられることができる。
【００４７】
上記操作パネル１５は利用者がランニングベルト３０の駆動速度や傾斜度の調節を利用者が操作することができるようにするためのボタンやスィッチからなるキーパッドと、機器の動作状態を表示するディスフレームーとで構成されることができる。
【００４８】
このように構成される本体１０は公知のランニングマシンと類似するように実施されても構わないので詳細な説明は省略する。
【００４９】
一方、本発明における本体１０は後述する第１ローラー３５及び第２ローラー３６を基準として後述するエンボスベルト５０の上面と下面の間の空間に上記エンボスベルト５０の上面垂れを防止することができるように幅方向に垂れ防止ローラー５３が回転可能に設置される構成であり、このような垂れ防止ローラー５３は上記エンボスベルト５０の長さ方向に沿って間隔を隔てて複数設置される。
【００５０】
前ローラー２５及び後ローラー２６は上記ケースフレーム１１の内部前方と後方にそれぞれ設置されて回転される回転要素である。即ち、本体１０の垂直フレーム１３を基準として前方には前ローラー２０がベアリング（図示しない）によって回転可能に支持され、この前ローラー２０の後方側に間隔を隔てて後ローラー２５が同様にベアリングによって回転可能に設置される。
【００５１】
このような構成の前ローラー２５及び後ローラー２６は駆動源によって回転される構成が好ましく、本発明で上記前ローラー２０は電源を受けて回転駆動力を生成する駆動モーターｍに連結されて回転されるように構成され、上記後ローラー２５は自在に回転されるように構成され、上記駆動モーターｍと前ローラー２０との連結構造はチェーンやベルトで連結されるかまたはギア咬合で連結されることができる。本発明ではベルトプーリｖで連結されることを例示した。
【００５２】
このような前ローラー２５及び後ローラー２６の駆動構造は公知の技術によって実施されても構わなく、後述するランニングベルト３０を循環させることができる特徴を有すればローラーの形態や設置数及び位置は多様に変形して実施されても構わない。
【００５３】
ランニングベルト３０は利用者が踏んで歩いたり走ることができる支持役割を果たすとともに、複数の指圧石３を運ぶ要素として、上記前ローラー２５及び後ローラー２６に回転可能に支持されて無限軌道型で循環移動される。このようなランニングベルト３０は公知のランニングマシンに適用されるランニングベルトが用いられても構わないので詳細な説明は省略する。
【００５４】
一方、上記ランニングベルト３０の上面に置かれる複数の指圧石３は利用者が踏んだ時、利用者の足裏に指圧刺激を加えることができる大きさと硬度を有するもので、天然砂利が用いられても構わなく、その以外にも黄土、ゲルマニウム、麦飯石、天然玉、炭などの成分を含み、砂利の大きさに成形した人工砂利やセラミックボールが用いられることも可能である。
【００５５】
エンボスベルト５０は本発明の主な技術的特徴を有する要素で、上記ランニングベルト３０の下側に配置されて、その上面が上記ランニングベルト３０に密着されて指圧石３を運搬する運搬要素である。
【００５６】
このようなエンボスベルト５０は複数の指圧石３が収容される複数の凹溝部３３を備えたエンボス構造を有する部材として、図面で示すように複数の凸出部３１と凹溝部３３が規則的に繰り返し形成される構造であり、本発明では三角波形状の凸出部３１と凹溝部３３を有する形態を提案したが、その以外にも半球形状や多角形状の凹凸形態を有することも可能である。
【００５７】
また、上記エンボスベルト５０は緩衝性と弾性復元力を有する合成樹脂発泡材で成形され、これは指圧石３の運搬時に指圧石３の間の摩擦による破れ現象や騷音の発生を抑制することができるからである。
【００５８】
一方、上記エンボスベルト５０は複数のローラーに支持されて無限軌道型で循環するように支持される構造であり、このために、本発明では第１ローラー３５、第２ローラー３６、第３ローラー３７及び第４ローラー３８を備えることを提案する。即ち、上記ランニングベルト３０を循環するように回転支持する前ローラー２５及び後ローラー２６はそれぞれの下部一側に第１ローラー３５及び第２ローラー３６が回転可能に本体に設置される構造であり、上記前ローラー２５及び後ローラー２６のそれぞれの上部一側には第３ローラー３７及び第４ローラー３８が同様に上記本体１０に回転可能に設置される構成である。
【００５９】
ここで、上記第１ローラー３５、第２ローラー３６、第３ローラー３７及び第４ローラー３８の中の何れか一つは駆動モーターｍに連結されて回転駆動力を受ける駆動ローラーの役割を果たし、本発明では上記第１ローラー３５が駆動モーターｍとベルトプーリｖで連結されて駆動回転される構成を例示した。即ち、前ローラー２５及び後ローラー２６の中の何れか一つのローラーと、上記第１ローラー３５及び第２ローラー３６の中の何れか一つのローラーは上記ランニングベルト３０とエンボスベルト５０が互いに反対する方向に循環回転されるように駆動モーターｍに連結される構成であり、本発明では前ローラー２５と第１ローラー３５がそれぞれ駆動モーターｍにベルトプーリｖで連結されるが、互いに反対方向に回転されるように連結される構成を好ましい実施例として提案する。
【００６０】
一方、上記エンボスベルト５０は前後端部の下面両側周辺側に上記本体１０に固設された支持ブラケット５５によって支持される構成であり、このような支持ブラケット５５は上記エンボスベルト５０を含めたその上部側に位置されるランニングベルト３０が垂れることを最終的に防止するための支持役割を果たす。
【００６１】
上記のように構成される本発明による足反射区指圧誘導ワーキングマシンの動作を説明すれば次の通りである。
【００６２】
利用者が操作パネル１５に提供されるスィッチを操作して駆動モーターｍに電源を印加すれば、上記駆動モーターｍに連結された前ローラー２５と第１ローラー３５が互いに反対する方向に駆動回転し、それにより、上記前ローラー２５及び後ローラー２６を巻回する形態で備えられたランニングベルト３０は無限軌道で旋回移動をすることになる。
【００６３】
同時に、上記第１ローラー３５の駆動回転によって第２ローラー３６、第３ローラー３７、第４ローラー３８を巻回する形態で備えられたエンボスベルト５０も無限軌道で旋回移動をする。
【００６４】
この時、上記ランニングベルト３０の上面には多様な大きさと形態を有する複数の指圧石３が形成されているので、利用者は上記ランニングベルト３０の移動によって自然に複数の指圧石３を踏んで歩いたり低い速度で走ることができる。
【００６５】
一方、上記ランニングベルト３０の上面に置かれた複数の指圧石３は上記前ローラー２５で後ローラー２６の方向に移動された後上記ランニングベルト３０の後端部の一部を囲む形態で備えられるエンボスベルト５０の後端部の間に進入するようになる。
【００６６】
この時、上記エンボスベルト５０は複数の凸出部３１と凹溝部３３を形成しているので、上記複数の指圧石３は自然にエンボスベルト５０の凹溝部３３に収容捕集されて移動される。この過程で利用者が踏むことによって局所的に積もった状態の複数の指圧石はエンボスベルト５０の各凹溝部３３に進入しながら均一に分散配置される。即ち、上記ランニングベルト３０の下面とエンボスベルト５０の上面との間に位置される複数の指圧石はそれぞれエンボスベルト５０が凹溝部３３に収容された状態で移動され、最終的に上記ランニングベルト３０の前方上面側に循環移動される。
【００６７】
一方、本発明は記載した実施例に限定されるのではなく、適用部位を変更して用いることができ、本発明の思想及び範囲を逸脱することなく多様に修正及び変形することができることは当該技術分野において通常の知識を有する者にとって自明である。従って、このような変形例または修正例は本発明の特許請求範囲に属するとすべきである。
【符号の説明】
【００６８】
１  足反射区指圧誘導ワーキングマシン
１０  本体
２５、２６  前ローラー及び後ローラー
３０  ランニングベルト
３５  第１ローラー
３６  第２ローラー
３７  第３ローラー
３８  第４ローラー
５０  エンボスベルト
３１  凸出部
３３  凹溝部
５３  垂れ防止ローラー
５５  支持ブラケット
ｍ  駆動モーター
ｖ  ベルトプーリ
【図１】
0006713996.tif 000002
【図２】
0006713996.tif 000003
【図３】
0006713996.tif 000004
【図４】
0006713996.tif 000005
【図５】
0006713996.tif 000006
【図６】
0006713996.tif 000007
【図７】
0006713996.tif 000008
【図８】
0006713996.tif 000009